(57)【要約】【課題】構造が簡単で、本体部材に対して蓋部材の取り付けが容易な基板ケースを提供する。【解決手段】内部に主制御基板３１を収容する主基板ケース１００を、開口部に断面Ｌ字状に形成された蓋部材取付溝５４を有するケース本体部材５０と、開口部の側部から突出して形成された係止突起部６２を有するケース蓋部材６０とから構成し、ケース蓋部材６０の内部に主制御基板３１を取り付けた状態で、ケース本体部材５０の開口部とケース蓋部材６０の開口部とを合わせるようにして、係止突起部６２を蓋部材取付溝５４に挿入し、ケース本体部材５０に対してケース蓋部材６０をスライド移動させて取り付けて閉止状態とする。このとき、ケース本体部材５０とケース蓋部材６０の右端側に本体側仮止部５５と蓋側仮止部６３とを設けておき、ケース本体部材５０にケース蓋部材６０がスライド移動して取り付けられたときにこれらの仮止部５５，６３が係合してケース本体部材５０とケース蓋部材６０とを固定保持する。【選択図】図４
2007050230.tif 000002
【特許請求の範囲】
【請求項１】
内部に基板を収容する基板ケースであって、
開口部に断面Ｌ字状の溝である蓋部材取付溝が形成された本体部材と、
開口部の側部から突出した突起である係止突起部が形成された蓋部材とから構成され、
前記本体部材の開口部と前記蓋部材の開口部とを合わせるようにして前記係止突起部を前記蓋部材取付溝に挿入し、前記本体部材に対して前記蓋部材をスライド移動させて取り付けて閉止状態とすることを特徴とする基板ケース。
【請求項２】
前記基板が、前記開口部から挿入されて前記蓋部材の内部に取り付けられるように構成され、
前記基板が取り付けられた状態で、前記蓋部材を前記本体部材に取り付けるように構成されたことを特徴とする請求項１に記載の基板ケース。
【請求項３】
前記本体部材に前記蓋部材が取り付けられたときに、前記閉止状態を保持する固定機構を有することを特徴とする請求項１または２に記載の基板ケース。
【発明の詳細な説明】
【技術分野】
【０００１】
本発明は、内部に基板が保持されて遊技盤の裏面側に取り付けられる基板ケースに関する。
【背景技術】
【０００２】
パチンコ機やスロットマシン等の遊技機では、遊技機の作動を制御する制御基板が設けられている。例えば、パチンコ遊技機では、外枠に対して開閉可能に組み付けられた前枠裏側の収容枠に遊技盤等が装備され、この遊技盤に制御基板が取り付けられている。スロットマシンにおいても同様に、開閉カバーの裏面に制御基板が取り付けられている。
【０００３】
これらの制御基板は、賞球もしくはメダルの払出制御、電動役物の開閉制御、リールの回転制御、図柄組み合わせの発生確率制御等、パチンコ遊技若しくはスロットマシンの作動を制御する基板であり、遊技機の制御ソフトウェアが記録されたＲＯＭが搭載されて遊技機の作動を制御する中枢制御装置としての役割を有している。このため、制御基板は、偽造ＲＯＭへの差し替え等の不正改造を防止するために、基板ケース内に収容されるとともに、この基板ケースはケースを開いたときにその痕跡が残るような不正開放（若しくは、不正着脱）の防止手段が設けられて構成されている（例えば、特許文献１参照）。たとえば、基板ケースを本体部材に対して蓋部材が揺動して開閉可能に構成され、閉止状態になった本体部材と蓋部材とを特殊ネジで締結して不正開放できないように構成されている。
【０００４】
【特許文献１】特開２００４−２８３４４３号公報
【発明の開示】
【発明が解決しようとする課題】
【０００５】
しかしながら、基板ケースを本体部材と蓋部材とで構成して、本体部材に対して蓋部材を揺動させることで開閉するように構成すると、基板ケースの構造が複雑になり、また、これらを組み立て作業も繁雑になるという課題があった。
【０００６】
本発明はこのような課題に鑑みてなされたものであり、構造が簡単で、本体部材に対して蓋部材の取り付けが容易な基板ケースを提供することを目的とする。
【課題を解決するための手段】
【０００７】
前記課題を解決するために、本発明に係る基板ケース（例えば、実施形態における主基板ケース１００）は内部に基板（例えば、実施形態における主制御基板３１）を収容するものであり、開口部に断面Ｌ字状の溝である蓋部材取付溝が形成された本体部材（例えば、実施形態におけるケース本体部材５０）と、開口部の側部から突出した突起である係止突起部が形成された蓋部材（例えば、実施形態におけるケース蓋部材６０）とから構成され、本体部材の開口部と蓋部材の開口部とを合わせるようにして、係止突起部を蓋部材取付溝に挿入し、本体部材に対して蓋部材をスライド移動させて取り付けて閉止状態とするように構成される。
【０００８】
このとき、基板が、開口部から挿入されて蓋部材の内部に取り付けられるように構成され、この基板が取り付けられた状態で、蓋部材を本体部材に取り付けるように構成することが好ましい。
【０００９】
また、本体部材に蓋部材が取り付けられたときに、閉止状態を保持する固定機構（例えば、実施形態における本体側仮止部５５および蓋側仮止部６３）を有することが好ましい。
【発明の効果】
【００１０】
本発明に係る基板ケースを以上のように構成すると、取り付け構造を簡単にすることができるとともに、本体部材に対する蓋部材の取り付けを簡単な操作で行うことができるので、取り付け作業の効率を向上させることができる。また、蓋部材に基板を取り付けた状態でこの蓋部材を本体部材に取り付けるように構成することにより、蓋部材への基板の取り付け作業が容易になり、作業効率をさらに向上させることができる。同様に、本体部材に蓋部材をスライド移動して取り付けたときに、これらを固定保持する固定機構を有することにより、本体部材と蓋部材との固定作業も容易になる。
【発明を実施するための最良の形態】
【００１１】
以下、本発明の好ましい実施形態について図面を参照して説明する。まず、本発明に係る遊技機の代表例としてパチンコ機ＰＭを図１に示し、この図面を参照してパチンコ機ＰＭの全体構成について説明する。ここで、図１はパチンコ機ＰＭの正面図である。
【００１２】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠機構４を利用して外枠１に閉鎖施錠された状態で保持される。
【００１３】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０の正面の遊技領域ＰＡを臨ませている。
【００１４】
なお、遊技盤１０は、板厚１９ｍｍ程度の積層合板を図示する所定形状に切断およびルーター加工して、その表面に所定意匠のセルを貼り付けた化粧板（ベニヤ板とも称される）１１を基板として構成される。また、前枠２には、帯状の案内レール１２が円弧状に固設され、この案内レール１２で囲まれた内側に上述の遊技領域ＰＡが区画される。
【００１５】
遊技領域ＰＡには、多数本の遊技釘とともにランプ風車や一般風車等の風車２１、一般入賞具や始動具並びに大入賞口を備えたアタッカー等の入賞具２２、および、遊技の進行状況に応じて所定の画像を表示させる画像表示装置２３が取り付けられ、遊技領域ＰＡの下端には入賞具２２に入賞せずに落下した遊技球（「アウト球」という）を遊技盤１０の裏面に排出させるアウト口２４が設けられている。各入賞具２２に落入した遊技球（「セーフ球」という）は、これらの入賞具２２に設けられた入賞口スイッチおよび始動口スイッチにより検出され、化粧板１１を貫通するセーフ球通路を通って遊技盤１０の裏面に排出される。また、アウト口２４に集められたアウト球は化粧板１１を貫通するアウト球通路孔を通って遊技盤１０の裏面側に排出される。
【００１６】
以上のように構成されたパチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００１７】
遊技盤１０の裏面側には、パチンコ機ＰＭ全体の制御を行う主制御基板が収容された主基板アッセンブリ３０や、画像表示装置２３に表示される画像の制御を行う画像制御基板が収容された画像制御基板アッセンブリ４０が取り付けられている。それでは、図２および図３を参照して、遊技盤１０に取り付けられた主基板アッセンブリ３０および画像制御基板アッセンブリ４０について説明する。ここで、図２は遊技盤１０の背面図であり、図３は遊技盤１０を後方から見た斜視図である。なお、以降の説明においては、図２および図３の状態を基準にして前後左右、および、上下を定義する（図３参照）。
【００１８】
遊技盤１０の中央部には画像表示装置２３を取り付けるための開口部１３が形成されており、この開口部１３を挟むように遊技盤１０の裏面側の左右縁部に画像アッセンブリ取付部１４ａ，１４ｂが配設されている。画像制御基板アッセンブリ４０の左右両側部の上下には合計４個の取付突起部４０ａ，４０ｂが形成されており、この取付突起部４０ａ，４０ｂがネジ締結等で画像アッセンブリ取付部１４ａ，１４ｂに取り付けられて画像制御基板アッセンブリ４０が遊技盤１０に固定される。
【００１９】
また、遊技盤１０の下部における裏面側の左右縁部には、主基板取付部１５ａ，１５ｂが配設されており、この主基板取付部１５ａ，１５ｂに主基板アッセンブリ３０が取り付けられている。なお、主基板取付部１５ａ，１５ｂは、画像アッセンブリ取付部１４ａ，１４ｂよりも後方に突出するように形成されており、主基板アッセンブリ３０の上部が、後面視において、画像制御基板アッセンブリ４０の下部を後方から覆うように遊技盤１０に取り付けられる。
【００２０】
このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００２１】
次に主基板アッセンブリ３０について図４〜図９を用いて説明する。ここで、図４は主基板アッセンブリ３０の分解斜視図であり、図５は主基板アッセンブリ３０を構成する主基板ケース１００の閉止方法を示す説明図であり、図６は主基板アッセンブリ３０を示す図であり、図７は主基板ケース１００を構成するケース本体部材５０を示す図であり、図８主基板ケース１００を構成するケース蓋部材６０を示す図であり、図９はケース蓋部材６０の要部を拡大した背面図である。
【００２２】
主基板アッセンブリ３０は、パチンコ機ＰＭの作動を統括的に制御する主制御基板３１と、主制御基板３１を内部に収容する主基板ケース１００とから構成される。さらに、主基板ケース１００は、遊技盤１０の裏面側に着脱されるケース本体部材５０と、このケース本体部材５０に着脱自在に取り付けられるケース蓋部材６０とから構成される。この主基板アッセンブリ３０は、主制御基板３１がケース蓋部材６０の内面側に取り付けられた状態で、このケース蓋部材６０をケース本体部材５０に装着可能に構成される。
【００２３】
主制御基板３１は、図４に示すように、中央部に配置されたＣＰＵ３２や左右に配設された接続コネクタ３３等の電子部品を有して構成される。この主制御基板３１の四隅には、基板取付孔３４が形成されており、基板取付ネジ６１をこの基板取付孔３４に挿入し、図８に示すケース蓋部材６０の基板取付部６７に対して螺挿してネジ締結するように構成されている。
【００２４】
ケース本体部材５０は、前面側に開口を有する矩形箱状の形状を有しており、ＡＢＳ樹脂やポリカーボネート（ＰＣ）等の透明な樹脂材料を用いて射出成形等の成形手段により一体的に成形される。このケース本体部材５０の内面側底部５１には、補強リブ５２が
縦横に形成されており、ケース本体部材５０の強度を向上させている。
【００２５】
ケース本体部材５０の側壁部（図４においては、底部５１の上下の縁部から前方に延びる側壁部）５３，５３のそれぞれには、複数の蓋部材取付溝５４が形成されている。図５を用いて詳細に説明すると、側壁部５３は、底部５１から前方に延びる第１壁部５３ａと、この第１壁部５３ａより板厚が薄く、第１壁部５３ａからさらに前方に延びる第２壁部５３ｂとからなり、ケース本体部材５０の内面側が段状に形成されている。そして、蓋部材取付溝５４は、第２壁部５３ｂに形成されており、前方およびケース本体部材５０の内面側が開口するように形成されている。なお、この蓋部材取付溝５４は、図５に示すように、前方に開口する挿入溝部５４ａと、前方側の第２壁部材５３から延びて形成された係止部５３ｃと第１壁部５３ａに囲まれた係止溝部５４ｂとから構成される。
【００２６】
ケース蓋部材６０は、ケース本体部材５０の開口を覆う矩形箱状の形状を有しており、ＡＢＳ樹脂やポリカーボネート（ＰＣ）等の透明な樹脂材料を用いて射出成形等の成形手段により一体的に成形される。このケース蓋部材６０の上下方向縁部に位置する側壁部６９には、外方（図４においては上下方向）に突出する係止突起部６２が複数形成されている。この係止突起部６２は、上述の蓋部材取付溝５４と同じ数だけ形成されており、その配置間隔も蓋部材取付溝５４と対応している。そのため、図５（ｃ）に示すように、ケース本体部材５０に対してケース蓋部材６０を取り付けるときは、前方から、蓋部材取付溝５４の挿入溝部５４ａに係止突起部６２を挿入し、その後、ケース蓋部材６０を左右方向（この実施例においては左方向）にスライド移動させて係止突起部６２を係止溝部５４ｂに挿入させることで、係止突起部６２と蓋部材取付溝５４とを嵌合させる。そのため、ケース蓋部材６０はケース本体部材５０に対して後方への移動（ケース本体部材５０からケース蓋部材６０を外そうとする移動）が規制される。なお、挿入溝部５４ａに係止突起部６２を挿入すると、ケース蓋部材６０の側壁部６９の下端は、第１壁部５３ａの上端（側壁部５３の段部）に支持される。
【００２７】
ここで、ケース本体部材５０の左端側には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０およびケース蓋部材６０は、上述のように、樹脂材料で形成されており、これらの本体側仮止部５５および蓋側仮止部６３は薄く形成されているため、容易に撓めることができる。そのため、蓋側仮止部６３の左端側を本体側仮止部５５から離すように撓めることにより本体側仮止部５５と蓋側仮止部６３の係合は解除され、ケース本体部材５０に対して、ケース蓋部材６０を右方にスライド移動して、このケース蓋部材６０をケース本体部材５０から取り外すことができる。
【００２８】
このように、主制御基板３１が収容される主基板ケース１００を、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての効率が向上する。また、ケース蓋部材６０をケース本体部材５０に取り付けるときも、スライド移動だけで取り付けることができるので、この作業も容易である。また、このようにケース本体部材５０にケース蓋部材６０をスライドして取り付ける構成にすると、ケース本体部材５０側に蓋部材取付溝５４を形成し、ケース蓋部材６０に係止突起部６２を形成することで取り付け構造ができるため、主基板ケース１００の構造を簡単にすることができる。
【００２９】
以上のように、主制御基板３１は、主基板ケース１００（ケース本体部材５０およびケース蓋部材６０）内に格納されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして不正操作を防止するために、主基板アッセンブリ３０には不正開放防止機構７０が設けられている。そこで、図１０〜図１７を追加参照して主基板アッセンブリ３０に設けられた不正開放防止機構７０について以下に詳しく説明する。
【００３０】
ここで、図１０および図１１はストッパ部材７１の斜視図あり、図１２はストッパ部材７１を構成する外側部材８０の斜視図であり、図１３はストッパ部材７１を構成する内側部材９０の斜視図であり、図１４はストッパ部材７１を用いてケース本体部材５０にケース蓋部材６０を係止保持する場合を示す要部拡大図であり、図１５はストッパ部材７１でケース本体部材５０にケース蓋部材６０を係止保持しない場合を示す要部拡大図であり、図１６は図６のＸＶＩ−ＸＶＩ断面図であり、図１７は図６のＸＶＩＩ−ＸＶＩＩ断面図である。
【００３１】
不正開放防止機構７０は、図４等に示すように、ケース本体部材５０の左端側に連結して一体に形成された４つの本体側係合部５６と、ケース蓋部材６０の左端側に連結して形成された４つの蓋側係合部６４と、蓋側係合部６４に挿入されて、ケース本体部材５０にケース蓋部材６０を固定保持する４つのストッパ部材７１とから構成される。
【００３２】
本体側係合部５６は、図７に示すように、ケース本体部材５０にケース蓋部材６０が取り付けられたときに蓋側係合部６４の各々に覆われる係合底部５６ａと、この係合底部５６ａの上下方向縁部および左方向縁部から前方に延び、ケース本体部材５０にケース蓋部材６０が取り付けられたときに蓋側係合部６４の開口部の周りを覆う係合壁部５６ｂとから構成され、係合底部５６ａの略中央部には凹状の係合凹部５６ｃと凹状の爪待避凹部５６ｆが左右方向に並んで形成されている。また、係合凹部５６ｃおよび爪待避凹部５６ｆを挟むように、左右方向に係合溝５６ｄ，５６ｄが形成されている。さらに、係合壁部５６ｂの右方先端部には、ケース本体部材５０にケース蓋部材６０が取り付けられたときに蓋側係合部６４を抑える係合保持部５６ｅが形成されている。一方、蓋側係合部６４は、前方側（ケース本体部材５０にケース蓋部材６０が取り付けられたときに、本体側係合部５６と対向する側）が開口した矩形箱状に形成されている。なお、ケース蓋部材６０において主制御基板３１を収納する領域を形成する左側の側壁部６５と蓋側係合部６４との間は、蓋側連結部６６で連結されている。この蓋側連結部６６は切断可能に構成されており、ケース蓋部材６０から蓋側係合部６４を分離可能である。また、上下方向両側部には外方に突出して上述の係合保持部５６ｅと嵌合する係合突起部６４ｂが形成されている。
【００３３】
ストッパ部材７１は、樹脂等からなり矩形箱状に形成されており、矩形箱状の外側部材８０と矩形箱状の内側部材９０とが組み合わされて構成されている。外側部材８０は、一方の面が開口して外側開口部８１を有し、この外側開口部８１と対向する面８２に舌状に切り込まれた係合爪部８３が形成されている。この係合爪部８３は、基端側が面８２から外側になだらかに傾斜する傾斜面８３ａを有し、先端側は、面８２に対して略垂直な係合面８３ｂを有している。この面８２には、係合爪部８３を挟むように外方に突出し、且つ、係合爪部８３が延びる方向に略平行に延びる、ガイド部８２ａ，８２ａが形成されている。また、係合爪部８３が延びる方向と平行な面８４，８４の各々の略中央部には取付孔８４ａが形成されるとともに、開口部８１側からこの面８４，８４の各々が切り取られた溝部８４ｂが形成されている。同様に、係合爪部８３の基端側の面８５には、外側開口部８１側からこの面８５が切り取られた溝部８５ａが形成され、係合爪部８３の先端側の面８６には、外側開口部８１側からこの面８６が切り取られた溝部８６ａが形成されている。
【００３４】
内側部材９０は、一方の面が開口して内側開口部９１が形成されている。内側開口部９１を形成する側面のうち、一方の対向する面９２，９２の各々には、外方に突出する取付爪部９２ａが形成されている。また、他方の対向する面のうちの一つの面９３には、基端部９３ａが内側開口部９１と反対側に形成されて舌状に切り込まれ、且つ、外方に突出する係止突起部９３ｂが形成されている。さらに、内側開口部９１と対向する面９４の縁部のうち、取付爪部９２ａが形成された面９２と接する部分と、係止突起部９３が形成されていない面９５と接する部分には、この面９４と同一面内に位置して外方に突出するフランジ部９４ａ，９４ｂが形成されている。
【００３５】
以上のように構成された外側部材８０の外側開口部８１に対して、内側部材９０を、内側開口部９１側から挿入すると、外側部材８０の溝部８４ｂに内側部材９０のフランジ部９４ａ，９４ａが組み合わされ、溝部８６ａの外側開口部８１ａ側を塞ぐようにフランジ部９４ｂが組み合わされるとともに、取付孔８４ａに取付爪部９２ａが係合して外側部材８０に内側部材９０が固定されてストッパ部材７１が組み立てられる。このとき、外側部材８０の溝部８５ａから内側部材９０の係止突起部９３ｂが外方に突出する。
【００３６】
このように、ストッパ部材７１を、一つの面が開口した外側部材８０と内側部材９０とで構成することにより、この外側部材８０および内側部材９０を射出成形等により容易に製造することができる。また、ストッパ部材７１も、これらの外側部材８０および内側部材９０を上述のように組み合わせるだけで組み立てることができるため、製造コストを安くすることができる。
【００３７】
ストッパ部材７１は、図１４および図１５に示すように、蓋側係合部６４内に挿入されて用いられる。まず、ケース本体部材５０に取り付けられたケース蓋部材６０の右方向へのスライド移動を規制するため（これを「係止状態」と呼ぶ）には、図１４に示すように、ストッパ部材７１の係合爪部８３が下方に向き、かつ、この係合爪部８３の傾斜面８３ａが左方（ケース蓋部材６０をケース本体部材５０に取り付けるときにスライド移動させる方向）に位置するように蓋側係合部６４に挿入する（このストッパ部材７１の状態を「ロック状態」と呼ぶ）。なお、ストッパ部材７１が蓋側係合部６４に挿入されると、ストッパ部材７１の係止突起部９３ｂが蓋側係合部６４の内側の壁に押しつけられて弾性で付勢するため、この蓋側係合部６４の開口部が下方を向けられても、ストッパ部材７１は容易に脱落しない。
【００３８】
このような状態で、ケース蓋部材６０の係止突起部６２をケース本体部材５０の蓋部材取付溝５４に挿入すると、ストッパ部材７１の係合爪部８３は、爪待避凹部５６ｆに位置するため、この係合爪部８３が上方に押し上げられることがなく、その結果として、蓋側係合部６４も押し上げられることはない。そして、ケース蓋部材６０をケース本体部材５０に対して左方にスライド移動すると、ストッパ部材７１の係合爪部８３が、傾斜面８３ａに沿って爪待待避凹部５６ｆの右端側に形成された傾斜面により押し上げられながら係止爪部８３が左方に移動する。このとき、同時に蓋側係合部６４に形成された係合突起部６４ｂが、その右端部から本体側係合部５６に形成された係合保持部５６ｅに挿入されるため、係止爪部８３が押し上げられても蓋側係合部６４が押し上げられることはない。
【００３９】
そして、蓋側係合部６４と本体側係合部５６とが重なった位置になると、係合爪部８３と係合凹部５６ｃとの位置が一致し、押し上げられていた係合爪部８３が弾性で係合凹部５６ｃに入り込み、係合凹部５６ｃと係合爪部８３とが係合するとともに、ストッパ部材７１のガイド部８２ａ，８２ａが、本体側係合部５６の係合溝５６ｄ，５６ｄにそれぞれ挿入され、さらに、係合突起部６４ｂと係合保持部５６ｅとが嵌合して本体側係合部５６と蓋側係合部６４とが係合する。この状態となると、ケース蓋部材６０を右方にスライド移動させようとしても、係合爪部８３の係合面８３ｂが係合凹部５６ｃと係合しており、この係合面８３ｂは係合凹部５６の壁に沿って延びているため、係合爪部８３が上方に押し上げられることはなく、また、係合突起部６４ｂと係合保持部５６ｅとが嵌合されているため蓋側係合部６４を本体側係合部５６から引き離すことができず、係合凹部５６ｃから係合爪部８３が外れることはない。そのため、本体側係合部５６と蓋側係合部６４とは固定され、ケース本体部材５０に対してケース蓋部材６０を固定保持する（係止状態にする）ことができる。
【００４０】
一方、図１５に示すように、蓋側係合部６４に対して、係合爪部８３がこの蓋側係合部６４内に位置するように挿入された場合（係合爪部８３が上方を向いた状態に挿入された場合であって、この状態を「アンロック状態」と呼ぶ）には、本体側係合部５６と蓋側係合部６４とは係合せず、ケース本体部材５０に対してケース蓋部材６０は右方にスライド移動可能となる（この状態を「解除状態」と呼ぶ）。
【００４１】
このようにして、ケース蓋部材６０をケース本体部材５０に対してスライド移動させて蓋側係合部６４が本体側係合部５６と対向して重なる状態にすると、係合爪部８３と係合凹部５６ｃとが係合して本体側係合部５６と蓋側係合部６４とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部５６と蓋側係合部６４とをストッパ部材７１を介して容易に連結させることができ、ケース本体部材５０とケース蓋部材６０とを閉止状態で容易に結合保持することができる。
【００４２】
そして、このような不正開放防止機構７０によりケース本体部材５０とケース蓋部材６０とが閉止状態で結合保持されれば、本体側係合部５６と係合したストッパ部材７１との係合を解除するのは非常に困難であり、主基板ケース１００（主基板アッセンブリ３０）を開くためには、蓋側連結部６６を切断して蓋側係合部６４をケース蓋部材６０から切り離す必要がある。そのため、主基板ケース１００の開放後は、蓋側連結部６６の切断痕跡が明確に残るため、不正な開封を早期に発見することができるとともに、不正行為を効果的に抑止できる。また、不正開放防止機構７０を解除状態から係止状態にするには、蓋側係合部６４に対してストッパ部材７１の係合爪部８３の向きを変える（アンロック状態で蓋側係合部６４に挿入されているストッパ部材７１を取り出してロック状態に入れ替える）だけで良いため、作業も非常に容易である。
【００４３】
なお、本実施例においては、不正開放防止機構７０は、本体側係合部５６、蓋側係合部６４、および、ストッパ部材７１の組を４組有しており、主基板ケース１００をこの不正開放防止機構７０で結合保持するためには、いずれか一つのストッパ部材７１をロック状態、すなわち、係合爪部８３が蓋側係合部６４に対して下方に突出するようにして挿入されていれば良い。そのため、例えば、主制御基板３１を検査するために、閉止状態（係止状態）の主基板ケース１００が開放されても、別の不正開放防止機構７０の組を用いて閉止状態（係止状態）にすることができる。また、切り取られた蓋側係合部６４の数により主基板ケース１００が何回開放されたかを確認することができる。
【００４４】
また、ストッパ部材７１を構成する外側部材８０および内側部材９０を、それぞれ異なる色の樹脂で形成しておくことにより（例えば、外側部材８０を白色、内側部材９０を赤色）、ケース蓋部材６０は透明の樹脂で成形されているため、ストッパ部材７１の挿入状態がロック状態（内側部材９０が上側にあり赤色が蓋側係合部６４を透して見える状態）であるか、上方を向いたアンロック状態（外側部材８０が上側にあり白色が蓋側係合部６４を透して見える状態）であるか、を容易に識別することができる。あるいは、内側部材９０の面９４に「ロック」等の文字を表示しておくことにより、ロック状態のときは透明な蓋側係合部６４を通してこの文字を確認することができ、ロック状態を識別することができる。このとき、４組の不正開放防止機構７０のうち、何番目を使用しているか（若しくは、何番目のものが切断されているか）を目視により確認可能なように、本体側係合部５６の右端側に本体側番号表示部５６ｅが形成されている。同様に、本体側係合部５６の本体側番号表示部５６ｅに対応する番号が表示された蓋側番号表示部６４ｃが、ケース蓋部材６０の蓋側係合部６４の背面側の係合突起部６４ｂの近傍に形成されている。これにより、どのストッパ部材７１をロック状態にするのかを容易に判断することができる。
【００４５】
また、図１１等から明らかなように、ストッパ部材７１を構成する内側部材９０にはフランジ部９４ｂが形成されている。ストッパ部材７１がアンロック状態で蓋側係合部６４に挿入されているときは、このフランジ部９４ｂが形成された面９４が蓋側係合部６４の開口部側にあるため、蓋側係合部６４からストッパ部材７１を取り出すときは、このフランジ部９４ｂに指を掛けることができ、容易に取り出すことができるので、ロック・アンロックの状態の切り換えを容易に行うことができる。
【００４６】
また、前述したように、主基板ケース１００（ケース本体部材５０およびケース蓋部材６０）の材料として透明な樹脂材料を使用しているが、その中でもＡＢＳ樹脂を使用することが好ましい。これにより、上記のような部材に対して切断操作を行うと、ＡＢＳ樹脂の成分であるブタジエンがゴム性を有して伸び、部材が割れずに白色化しやすいため、その切断痕跡が明確に残りやすいという効果が得られる。また、主基板ケース１００を無理にこじ開けようとしても、同様に部材が白色化して（こじ開けた）痕跡が明確に残りやすいという効果が得られる。このとき、上述のように蓋側係合部６４の開口部周辺は本体側係合部５６の係合壁部５６ｂに覆われており、また、ストッパ部材７１の係合爪部８３は本体側係合部５６の係合溝５６ｄ，５６ｄに挿入されたガイド部８２ａ，８２ａで挟まれているため、係止状態をこじ開けようとするときに係合爪部８３を操作することが困難であり、無理に操作しようとすると、蓋側連結部６６が白色化しやすいように構成されている。
【００４７】
最後に、主基板アッセンブリ３０と画像制御基板アッセンブリ４０の遊技盤１０に対する取り付けおよび取り外し方法について図１８を合わせて用いて説明する。ここで、図１８は、遊技盤１０に対して主基板アッセンブリ３０を揺動させて傾けた場合の斜視図である。
【００４８】
遊技盤１０の裏面に取り付けられた主基板取付部１５ａ，１５ｂには、後方に突出し、上方が開口したＵ字状の軸受部１６ａ，１６ｂがそれぞれ設けられている。また、主基板ケース１００のケース本体部材５０には、左右の両側部の下部から左右方向に突出して同軸上に延びる取付軸５７ａ，５７ｂが設けられている。遊技盤１０に主基板アッセンブリ３０を取り付けるときは、図１４に示すように、主基板取付部１５ａ，１５ｂに対して主基板アッセンブリ３０を斜めにして、取付軸５７ａ，５７ｂを上方から軸受部１６ａ，１６ｂの開口に挿入した後、取付軸５７ａ，５７ｂを中心に主基板アッセンブリ３０を前方に揺動させる。
【００４９】
なお、主基板取付部１５ａ，１５ｂに対する主基板アッセンブリ３０の固定は、ケース本体部材５０の左側部から外方に延びた左側固定部５８に取り付けられた左ナイラッチ３６と、ケース蓋部材６０の右側部から外方に延びた右側固定部６８に取り付けられた右ナイラッチ３７とが用いられる。左右ナイラッチ３６，３７は、例えば図１２に示すように、左ナイラッチ３６の上部に位置する操作部３６ａを下方に押し下げると、下部に位置する張出部３６ｂが外周方向に張り出してその径が大きくなり、操作部３６ａを上方に引き上げると、張出部３６ｂが内周方向に格納されてその径が小さくなるように構成された係止部材である（右ナイラッチ３７も同じ構造である）。
【００５０】
左右ナイラッチ３６，３７の操作部（３６ａ）が引き上げられた状態で、上述のように、主基板アッセンブリ３０が取付軸５７ａ，５７ｂを中心に上方に揺動されると、主基板取付部１５ａ，１５ｂの左右ナイラッチ３６，３７に対向する位置に嵌合孔１７ａ，１７ｂが形成されており、この嵌合孔１７ａ，１７ｂに左右ナイラッチ３６，３７の張出部（３６ｂ）が挿入される。この状態で左右ナイラッチ３６，３７の操作部（３６ａ）を押し下げると張出部（３６ｂ）が張り出して主基板アッセンブリ３０が主基板取付部１５ａ，１５ｂに固定される。
【００５１】
このとき、主基板取付部１５ａ、１５ｂには、後方に突出する支持突起部１８ａ，１８ｂが形成されており、この支持突起部１８ａ，１８ｂが、ケース本体部材５０の裏面側に形成されたリブ５９により作られる格子に嵌合するため、主基板アッセンブリ３０の荷重は、取付軸５７ａ，５７ｂと左右ナイラッチ３６，３７に加えてこの支持突起部１８ａ，１８ｂで支えられるように構成されている。
【００５２】
このように、軸受部１６ａ，１６ｂに対して取付軸５７ａ，５７ｂを中心に揺動させることにより、主基板アッセンブリ３０を後方に揺動させると、画像制御基板アッセンブリ４０の後方側に作業空間を形成することができる。そのため、画像制御基板アッセンブリ４０を後方から覆うように主基板アッセンブリ３０が取り付けられていても、この作業空間を利用して、画像制御基板アッセンブリ４０を遊技盤１０に対して着脱することができ、作業が容易になる。特に、画像制御基板アッセンブリ４０や画像表示装置２３は交換・保守作業が必要となる場合があるため、このように主制御基板アッセンブリ３０を容易に揺動可能にすることにより、これらの作業の効率化を図ることができる。
【００５３】
以上説明した本発明の実施形態において、達成される主要な効果を整理すれば、下記のようになる。
【００５４】
第１に、ケース本体部材５０とケース蓋部材６０の取り付け構造は、ケース本体部材５０の開口部の側部（側壁部５３）に断面Ｌ字状の蓋部材取付溝５４を形成し、ケース蓋部材６０の側壁部６９に外方に突出する係止突起部６２を形成し、蓋部材取付溝５４に係止突起部６２を挿入してケース本体部材５０にケース蓋部材６０をスライド移動させることで取り付け作業ができるため、構造および作業が簡単となる。
【００５５】
第２に、主制御基板３１が収容される主基板ケース１００を、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての効率が向上する。
【００５６】
第３に、ケース本体部材５０とケース蓋部材６０の左端側に本体側仮止部５５と蓋側仮止部６３とを形成し、ケース本体部材５０に対してケース蓋部材６０をスライド移動させて取り付けたときに、これらの仮止部５５，６３を係合させることにより、ケース本体部材５０とケース蓋部材６０とを簡単な構造および操作で固定保持することができる。
【図面の簡単な説明】
【００５７】
【図１】本発明に係る遊技機の一例として示すパチンコ機の正面図である。
【図２】上記パチンコ機に設けられた遊技盤の背面図である。
【図３】上記遊技盤の背面側の斜視図である。
【図４】上記パチンコ機に設けられた主基板アッセンブリの分解斜視図である。
【図５】主基板アッセンブリを構成するケース本体部材とケース蓋部材の取り付け状態を説明する図４の要部拡大図であって、（ａ）はケース本体部材の要部をケース蓋部材を取り付ける方向から見た図であり、（ｂ）はケース本体部材の要部を側方から見た図であり、（ｃ）はケース本体部材にケース蓋部材が取り付けられるときの要部の動きを示す図である。
【図６】主基板アッセンブリの平面図である。
【図７】ケース本体部材を示す図であり、（ａ）は平面図であり、（ｂ）は底面図である。
【図８】ケース蓋部材を示す図であり、（ａ）は平面図であり、（ｂ）は底面図である。
【図９】ケース蓋部材の要部を拡大した背面図である。
【図１０】ストッパ部材を示す図であり、（ａ）は係合爪部側から見た斜視図であり、（ｂ）は（ａ）の反対側から見た斜視図である。
【図１１】ストッパ部材を異なる方向から見た斜視図である。
【図１２】外側部材を示す図であり、（ａ）は係合爪部側から見た斜視図であり、（ｂ）は（ａ）の反対側から見た斜視図である。
【図１３】内側部材を示す図であり、８ａ）は内側開口部側から見た斜視図であり、（ｂ）は（ａ）の反対側から見た斜視図である。
【図１４】不正開放防止機構によりケース本体部材とケース蓋部材とが係止状態にあるときを説明する要部拡大図である。
【図１５】不正開放防止機構によりケース本体部材とケース蓋部材とが開放状態にあるときを説明する要部拡大図である。
【図１６】図６のＸＶＩ−ＸＶＩ断面図である。
【図１７】図６のＸＶＩＩ−ＸＶＩＩ断面図である。
【図１８】上記遊技盤の背面図の斜視図であって、主基板アッセンブリを揺動させた状態を示す図である。
【符号の説明】
【００５８】
３１  主制御基板（基板）
５０  ケース本体部材（本体部材）
５４  蓋部材取付溝
５５  本体側仮止部（固定機構）
６０  ケース蓋部材（蓋部材）
６２  係止突起部
６３  蓋側仮止部（固定機構）
１００  主基板ケース（基板ケース）
【図１】
2007050230.tif 000003
【図２】
2007050230.tif 000004
【図３】
2007050230.tif 000005
【図４】
2007050230.tif 000006
【図５】
2007050230.tif 000007
【図６】
2007050230.tif 000008
【図７】
2007050230.tif 000009
【図８】
2007050230.tif 000010
【図９】
2007050230.tif 000011
【図１０】
2007050230.tif 000012
【図１１】
2007050230.tif 000013
【図１２】
2007050230.tif 000014
【図１３】
2007050230.tif 000015
【図１４】
2007050230.tif 000016
【図１５】
2007050230.tif 000017
【図１６】
2007050230.tif 000018
【図１７】
2007050230.tif 000019
【図１８】
2007050230.tif 000020